(57)【要約】【課題】  簡易な構成で固形物の濾過と気泡吸い込み防止の両方の機能を持ち、さらに各該フィルターの外側に付着した伝い気泡も吸引しないようにした排水孔フィルターを得ること。【解決手段】  端面排水孔フィルター部とコイル状の排水孔フィルター部と気泡流入防止部とに形成し、該気泡流入防止部の上端は内容器底面の加熱面より所定距離上部に位置させる事とし、また下部の気泡流入防止部の外径より上部の排水孔フィルター部の外径を小さく形成し、または排水孔フィルター本体の端面部を端面排水孔フィルター部とし、外周を気泡流入防止部として形成し、または排水孔フィルター本体の端面部を端面排水孔フィルター部と排水孔フィルター部とし、その外周と所定間隔を持って外側気泡流入防止部を設ける事としている。【選択図】      図１
2005230485.tif 000002
【特許請求の範囲】
【請求項１】
電動給湯湯沸かしポットの内容器の底面に設けられた排水孔フィルター本体に於いて、バネなど弾発付勢部材の線条でコイル状に形成し、該コイル状の端面を線条間に所定間隔を持った渦巻き状の端面排水孔フィルター部として連続して形成すると共に該コイル状の上部を粗巻とした排水孔フィルター部とし、その下部を密着巻きとした気泡流入防止部として形成し、該気泡流入防止部の上端は内容器底面の加熱面より所定距離上部に位置することを特徴とした電動給湯湯沸かしポット用排水孔フィルターの気泡流入防止機構。
【請求項２】
請求項１の排水孔フィルター本体の外径において、下部の密着巻きの気泡流入防止部の外径より上部の粗巻部分の排水孔フィルター部の外径を小さく形成し、
または該排水孔フィルター本体の端面部を線条間に所定間隔を持った渦巻き状の端面排水孔フィルター部と、その外周をコイル状の密着巻の気泡流入防止部として形成し、
または排水孔フィルター本体の端面部を線条間に所定間隔を持った渦巻き状の端面排水孔フィルター部とそのコイル状の外周を祖巻の排水孔フィルター部として形成すると共にさらにその外周と所定間隔を持ってコイル状で密着巻きの外側気泡流入防止部を設けたことを特徴とする電動給湯湯沸かしポット用排水孔フィルターの気泡流入防止機構。
【発明の詳細な説明】
【技術分野】
【０００１】  本発明は、電動給湯湯沸かしポットの内容器の排水孔フィルターに関する。
【背景技術】
【０００２】  従来の電動給湯湯沸かしポットの給湯用のポンプの給湯能力が落ちる原因として、湯沸かし時の気泡を吸い込むこと及びポンプの回転翼により発生するキャビテーション等によりポンプが空転して給湯能力が落ちることが知られている。【０００３】  そこで従来、給湯中にポンプ内に気泡を含む湯を吸い込むことでポンプの給湯能力が落ちるのを解決する手段として、ポンプ内の構成により該気泡を早々に吐出することで解決するとしたものがある（例えば、特許文献１参照）。【０００４】  また上述のように、気泡を含む湯を吸い込むことと、さらにインペラーの回転により発生する気泡をポンプ内の構成により該気泡をスムーズに排出することで解決するとしたものがある（例えば、特許文献２参照）。【０００５】  さらに、ポンプのインペラーの回転により発生する気泡での障害であるところのキャビテーション現象を発生させない構成で解決するとしたものがある（例えば、特許文献３参照）。【０００６】  加えて、インペラーの回転により発生する気泡をモーターのような駆動装置及びポンプの構成により、それ自身及び回転軸の温度上昇を抑えることで解決するとしたものがある（例えば、特許文献４参照）。【０００７】
【特許文献１】  特開平１１−１９７０１７号  公報
【特許文献２】  特開２０００−３３３８３６号  公報
【特許文献３】  特開２０００−１７０６８２号  公報
【特許文献４】  特開平１０−１５１０７２号  公報
【０００８】  さらに加えて、上述した従来の特許文献１から特許文献４に示される、ポンプ内に気泡を含む湯、及び気泡そのものを吸い込み、またはキャビテーション現象により発生する気泡排出または発生防止に関してのものが提案されているが、湯沸かしにより発生する大きな気泡を給湯時にポンプ内に吸い込む、吸い込み防止機構は提案されていなかった。
【発明の開示】
【発明が解決しようとする課題】
【０００９】  上記該特許文献の解決手段としてのポンプ及びモーターのような駆動装置は開発費及び製造コストが通常よりも高く、低価格のものが求められていた。【００１０】  また湯沸かし時に於ける大きな気泡の発生で、その気泡の吸い込みはポンプの空転による給湯能力が落ち、従来の解決手段では対応できず、よって湯沸かし時に於ける大きな気泡の吸い込み防止機構が求められていた。【００１１】  さらに本願出願人が出願した、特願２００２−３８３６１８号の選別及び濾過用フィルターの実施例で示す、電気温水ポットの容器内底部の排水口に嵌挿して使用する容器状フィルターは、固形物の濾過機能のみで、気泡の吸い込み防止に対応できなかった。
【課題を解決するための手段】
【００１２】  本発明は、上記課題を有効に達成するために、第１の解決手段として、バネなど弾発付勢部材の線条でコイル状に形成し、該コイル状の端面を線条間に所定間隔を持った渦巻き状の端面排水孔フィルター部として連続して形成すると共に該コイル状の上部を粗巻とした排水孔フィルター部とし、その下部を密着巻きとした気泡流入防止部として形成し、該気泡流入防止部の上端は内容器底面の加熱面より所定距離上部に位置させる事としている。【００１３】  また、第２の解決手段は、電動給湯湯沸かしポットの内容器の底面に設けられた排水孔フィルター本体に於いて、排水孔フィルター本体の外径を下部の密着巻きの気泡流入防止部の外径より上部の粗巻部分の排水孔フィルター部の外形を小さく形成し、または排水孔フィルター本体の端面部を線条間に所定間隔を持った渦巻き状の端面排水孔フィルター部とし、排水孔フィルター本体の外周をコイル状の密着巻の気泡流入防止部として形成し、
または排水孔フィルター本体の端面部を線条間に所定間隔を持った渦巻き状の端面排水孔フィルター部とそのコイル状の外周を祖巻の排水孔フィルター部として形成すると共にさらにその外周と所定間隔を持ってコイル状で密着巻きの外側気泡流入防止部を設ける事としている。
【発明の効果】
【００１４】  本発明は、上述したそれぞれの手段によって有効な効果が得られるもので、特に第１の解決手段の、バネなど弾発付勢部材の線条でコイル状に形成し、該コイル状の端面を線条間に所定間隔を持った渦巻き状の端面排水孔フィルター部として連続して形成すると共に該コイル状の上部を粗巻とした排水孔フィルター部とし、その下部を密着巻きとした気泡流入防止部として形成し、該気泡流入防止部の上端は内容器底面の加熱面より所定距離上部に位置させる事としているので、
吸入孔である排水孔フィルター部と端面排水孔フィルター部が隣接してないので内容器の底面部で発生する発生直後の気泡を吸い込まず、また内容器の底面部より離れた気泡は沸騰状態の上昇流に乗って該排水孔フィルターの側を早く通過するので、該気泡が引き寄せられないので吸い込まれず、吸入したときの気泡でポンプが空転して効率が落ちることがなく、よってそれによる給湯能力が極端に落ちるのを防止できる。【００１５】  また、該端面排水孔フィルター部及び排水孔フィルター部は、固形物の濾過と気泡吸い込み防止の両方の機能を持ち、構成及び組み込みも簡易であり、コストを低く押さえることが出来る。【００１６】  さらに第２の解決手段の、排水孔フィルター本体の外径において、下部の密着巻きの気泡流入防止部の外径より上部の粗巻部分の排水孔フィルター部の外径を小さく形成し、または排水孔フィルター本体の端面部を線条間に所定間隔を持った渦巻き状の端面排水孔フィルター部とし、排水孔フィルター本体の外周をコイル状の密着巻の気泡流入防止部として形成し、または排水孔フィルター本体の端面部を線条間に所定間隔を持った渦巻き状の端面排水孔フィルター部とそのコイル状の外周を祖巻の排水孔フィルター部として形成すると共にさらにその外周と所定間隔を持ってコイル状で密着巻きの外側気泡流入防止部を設けているので、
該外側気泡流入防止部の外側を下部から伝って上がる気泡が上端で離れ上昇し、内側の吸入孔である排水孔フィルター部と端面排水孔フィルター部が隣接してないので、該気泡が引き寄せられず吸い込まれないので、伝い上がる気泡の吸入でポンプが空転して効率が落ちることがなく、それによる給湯能力が極端に落ちるのを防止する。よって実用上著大なる効果を奏する物である。
【発明を実施するための最良の形態】
【実施例】
【００１７】  本発明の第一の実施例を図面に基づいて説明すると、図１において、１は電動給湯湯沸かしポットで、該電動給湯湯沸かしポット１は、内容器２と該内容器２の底面部に湯沸かしヒーター部３及び排水孔４とその排水孔４に連通するポンプ５及び吐出管６を有している。【００１８】  また該電動給湯湯沸かしポット１の排水孔４に排水孔フィルター本体７を装着している。【００１９】  そこで、該排水孔フィルター本体７は、バネなど弾発付勢部材の線条でコイル状に形成し、該コイル状の端面を各線条間に所定間隔を持った渦巻き状の端面排水孔フィルター部８として連続して形成すると共に該コイル状の上部を粗巻とした排水孔フィルター部９とし、その下部を密着巻きとした気泡流入防止部１０として形成し、さらに下部を排水孔４の内径に合わせて小径の嵌合部１５として形成している。【００２０】  また、第二の実施例として図２に示すように、排水孔フィルター本体７ａの外径を下部の密着巻きの気泡流入防止部１０ａの外径より上部の粗巻部分の排水孔フィルター部９ａの外径を小さく形成すると共にその端面を各線条間に所定間隔を持った渦巻き状の端面排水孔フィルター部８ｂとして連続して形成している。【００２１】  さらに、第二の他の実施例として図３に示すように、排水孔フィルター本体７ｂの端面部を各線条間に所定間隔を持った渦巻き状の端面排水孔フィルター部８ｂとし、排水孔フィルター本体７ｂの外周をコイル状の密着巻の気泡流入防止部１０ｂとして形成している。【００２２】  加えて、第二のさらに他の実施例として図４に示すように、排水孔フィルター本体７ｃの端面部を各線条間に所定間隔を持った渦巻き状の端面排水孔フィルター部８ｃとそのコイル状の外周を祖巻の排水孔フィルター部９ｃとして形成すると共にさらにその外周と所定間隔を持ってコイル状で密着巻きの外側気泡流入防止部１１を設けている。【００２３】  しかして、図１の第一の実施例の電動給湯湯沸かしポット１を使用して湯１２を給湯する時に於いて、ポンプ５により排水孔フィルター本体７を介して排水孔４より吸引するが、その時ヒーター部３にて加熱して湯沸かし状態で気泡１３が発生し、その気泡１３が吸い込まれやすく、特に排水孔フィルター本体７と気泡１３の発生場所が近接していると多く吸い込まれる。【００２４】  そこで、図１に示すように気泡流入防止部１０を形成することで、気泡１３の発生場所と吸い込み口である排水孔フィルター本体７の端面排水孔フィルター部８及び排水孔フィルター部９との間に仕切となるように一定の距離を持たせる事で気泡１３の吸い込みを防止している。【００２５】  これは、気泡１３が発生し、内容器２の底面のヒーター部３近傍に付着している状態の時は静止しているので引き寄せられて吸い込まれやすく、その底面のヒーター部３から気泡１３が離れると一気に上昇するので引き寄せられず吸い込まれない。【００２６】  そこで、底面ヒーター部３近傍の静止状態の気泡１３が位置する高さまでを気泡流入防止部１０として形成することで、気泡１３の引き寄せ吸い込みを防止して、該気泡によるポンプ５の効率を落とさないようにしている。【００２７】  つまり、気泡１３の吸い込みによりその気泡でポンプ５��空転し、よって湯１２の給湯能力が極端に落ちることにある。【００２８】  しかして、図２に示す第二の実施例の排水孔フィルター本体７ａは、上述第一の実施例と略同様で、さらに排水孔フィルター本体７ａ表面から伝い上がる伝い気泡１４の吸入を防止する。【００２９】  つまり、気泡流入防止部１０ａの外径を伝い上がる伝い気泡１４が、その上端部まで上がると、吸い込み口である排水孔フィルター部９ａの外径が小径で形成されているため伝い上がりが出来ず、気泡流入防止部１０ａの上端で離れ、排水孔フィルター部９ａに引き寄せられずそのまま一気に伝い気泡１４が上昇する。【００３０】  また、図３に示す第二の他の実施例の排水孔フィルター本体７ｂは、上記図２の第二の実施例と略同様で、気泡流入防止部１０ｂの外側を伝い上がる伝い気泡１４が、その上端部で離れそのまま一気に上昇し、これはその吸い込み口が上部端の線条の内側であるため伝い上がりが出来ず、またその渦巻き状の端面排水孔フィルター部８ｂに伝い気泡１４が引き寄せられず、よってそこから離れて上昇するだけで吸い込まれない。【００３１】  さらに、図４に示す第二のさらに他の実施例の排水孔フィルター本体７ｃは、上記図３の第二の他の実施例と略同様で、外側気泡流入防止部１１の外径を伝い上がる伝い気泡１４が、その上端部で離れそのまま一気に上昇し、これはその吸い込み口が外側気泡流入防止部１１と所定間隔を持った排水孔フイルター部９ｃと渦巻き状の端面排水孔フィルター部８ｃであることから伝い上がりが出来ず、伝い気泡１４が引き寄せられず、よってそこから離れて上昇するだけで吸い込まれない。【００３２】  以上のように、第二の各実施例から各該フィルターの外側に付着した伝い気泡１４を、引き寄せ吸引しないように構成することで、該伝い気泡１４よってポンプ５の効率を落とさないようにするものであり、それは該伝い気泡１４の吸い込みによりその気泡でポンプ５が空転し、よって湯１２の給湯能力が極端に落ちるのを防止するものである。【００３３】  なお、端面排水孔フィルター部８、８ａ、８ｂ、８ｃが平面となっているが、円錐状のように形成しても良く特にこだわらない。
【図面の簡単な説明】
【００３４】
【図１】  本発明の第一実施例の要部の側面断面図である。
【図２】  本発明の第二の他の実施例の要部の側面断面図である。
【図３】  本発明の第二実施例の要部の側面断面図である。
【図４】  本発明の第二のさらに他の実施例の要部の側面断面図である。
【符号の説明】
【００３５】    １  電動給湯湯沸かしポット
２  内容器
３  ヒーター部
４  排水孔
７、７ａ、７ｂ、７ｃ  排水孔フィルター本体
８、８ａ、８ｂ、８ｃ  端面排水孔フィルター部
９、９ａ、９ｂ、９ｃ  排水孔フィルター部
１０、１０ａ、１０ｂ、  気泡流入防止部
１１  外側気泡流入防止部
【図１】
2005230485.tif 000003
【図２】
2005230485.tif 000004
【図３】
2005230485.tif 000005
【図４】
2005230485.tif 000006